(57)【特許請求の範囲】
【請求項１】
タッチパネル式の表示画面を有する表示器と、
互いに直交する２軸のうちの一方の軸を分析時間の値とし、他方の軸を分析条件の値とするグラフ領域を前記表示画面に表示させる表示処理部と、
前記表示画面における前記グラフ領域に対するタッチ操作に基づいて、分析時間と分析条件の値との関係を設定する設定処理部と、
前記設定処理部により設定された分析時間と分析条件の値との関係を記憶する記憶部とを備え、
前記表示処理部は、前記記憶部に記憶されている分析時間と分析条件の値との関係を前記グラフ領域にグラフで表示させ、
前記設定処理部は、前記グラフ領域に表示されたグラフに対するタッチ操作に基づいて、前記記憶部に記憶されている分析時間と分析条件の値との関係を再設定し、
前記設定処理部は、前記グラフ領域に表示されたグラフに対するタッチ操作によりグラフ上の点又は線が指定され、その点又は線が前記グラフ領域内でシフトされた場合に、シフトされた後の点又は線に対応する分析時間及び分析条件の値を前記記憶部に記憶させて再設定を行い、
分析時間を保持する分析時間保持モードを実行するか否かの選択を受け付けるモード選択受付部をさらに備え、
前記設定処理部は、シフトされた後の点又は線に対応する分析時間及び分析条件の値を前記記憶部に記憶させて再設定を行う場合に、前記分析時間保持モードが選択されていれば、シフトされた点又は線に対応する分析時間及び分析条件の値以外の値を再設定せずに分析時間を一定に保持し、前記分析時間保持モードが選択されていなければ、シフトされた点又は線に対応する分析時間及び分析条件の値以外の値を再設定して分析時間を変化させることを特徴とする分析装置。
【請求項２】
前記設定処理部は、前記グラフ領域に対するタッチ操作により分析時間及び分析条件の値が入力された場合に、それらの値の少なくとも一方を近似する規定値に変換して設定することを特徴とする請求項１に記載の分析装置。
【請求項３】
前記表示処理部は、前記表示画面における前記グラフ領域に対するタッチ操作に基づいて、当該グラフ領域に表示されているグラフを拡大表示させ、
前記設定処理部は、前記グラフ領域に拡大表示されたグラフに対するタッチ操作に基づいて、前記記憶部に記憶されている分析時間と分析条件の値との関係を再設定することを特徴とする請求項１又は２に記載の分析装置。
【請求項４】
前記表示処理部は、前記グラフ領域に表示されたグラフに対するタッチ操作によりグラフ上の点又は線が指定された場合に、その点又は線に対応する値を入力するための数値入力領域を前記表示画面に表示させ、
前記設定処理部は、前記数値入力領域に対する入力操作に基づいて、前記記憶部に記憶されている分析時間と分析条件の値との関係を再設定することを特徴とする請求項１〜３のいずれか一項に記載の分析装置。
【発明の詳細な説明】
【技術分野】
【０００１】
本発明は、分析条件を設定する設定処理部を備える分析装置に関するものである。
【背景技術】
【０００２】
通常、ガスクロマトグラフなどの分析装置では、カラムにより分離された試料が検出器に導入されるとともに、検出器からの検出信号に基づいてクロマトグラムなどのデータが得られる。そして、作業者は、得られたデータに基づいて分析を行う。
【０００３】
このような分析装置では、分析中における温度などの環境条件（分析条件）を予め設定しており、その分析条件に基づいて分析動作が行われる。例えば、ガスクロマトグラフでは、カラムの温度や、カラムに試料を導入するためのキャリアガスの流量及び圧力などの分析条件が予め設定されている（例えば、下記特許文献１参照）。
【０００４】
また、分析条件は、時間の経過とともに設定値が変化するように設定される場合がある。この場合には、分析装置では、分析中の経過時間に対応する分析条件に基づいて分析動作が行われる。そして、その分析条件は、時間の経過とともに変化する。
【先行技術文献】
【特許文献】
【０００５】
【特許文献１】特許第５２０６５０４号公報
【発明の概要】
【発明が解決しようとする課題】
【０００６】
上記のような従来の分析装置では、通常、分析条件を入力するための画面と、分析条件の全体を確認するための画面とが別々に表示される。そのため、分析条件を設定する際の一連の作業が煩雑になることがあった。
【０００７】
例えば、従来のガスクロマトグラフでは、通常、カラムの温度、キャリアガスの流量、及び、キャリアガスの圧力などの分析条件の値は、対応する分析時間とともに、表示部に表示された表（設定表）に数値が入力されて設定される。一方、分析の開始から終了までの全体における分析条件は、分析条件の経時的変化を表すグラフとして、表とは別に表示される。そのため、分析条件の全体像を確認しながら分析条件を設定する場合や、一度分析条件を設定し、分析条件の全体像をグラフによって確認した後に分析条件を修正する場合などには、表における入力作業（設定作業）と、グラフにおける確認作業とを繰り返す必要があり、作業が煩雑になるという不具合が生じてしまう。
【０００８】
本発明は、上記実情に鑑みてなされたものであり、分析条件を設定するための一連の作業を容易に行うことができる分析装置を提供することを目的とする。
【課題を解決するための手段】
【０００９】
（１）本発明に係る分析装置は、表示器と、表示処理部と、設定処理部と、記憶部とを備える。前記表示器は、タッチパネル式の表示画面を有する。前記表示処理部は、互いに直交する２軸のうちの一方の軸を分析時間の値とし、他方の軸を分析条件の値とするグラフ領域を前記表示画面に表示させる。前記設定処理部は、前記表示画面における前記グラフ領域に対するタッチ操作に基づいて、分析時間と分析条件の値との関係を設定する。前記記憶部は、前記設定処理部により設定された分析時間と分析条件の値との関係を記憶する。前記表示処理部は、前記記憶部に記憶されている分析時間と分析条件の値との関係を前記グラフ領域にグラフで表示させる。
【００１０】
このような構成によれば、作業者は、表示画面におけるグラフ領域に対してタッチ操作を行うことにより、分析時間と分析条件の値との関係を設定でき、また、そのグラフ領域に表示されたグラフを確認することにより、分析時間と分析条件の値との関係を確認できる。
そのため、分析時間と分析条件の値との関係の設定作業、及び、分析時間と分析条件の値との関係の確認作業を併せて行うことができる。
【００１１】
その結果、表における設定作業とグラフにおける確認作業とを繰り返すような煩雑な作業の発生を抑制して、分析条件を設定するための一連の作業を容易に行うことができる。
【００１２】
（２）また、前記設定処理部は、前記グラフ領域に対するタッチ操作により分析時間及び分析条件の値が入力された場合に、それらの値の少なくとも一方を近似する規定値に変換して設定してもよい。
【００１３】
このような構成によれば、タッチ操作によって分析時間と分析条件の値とが入力された場合であって、それらの値が規定値からずれている場合には、設定処理部によって、その値を規定値に修正して設定できる。
そのため、入力された値を修正する作業を省くことができる。
【００１４】
（３）また、前記設定処理部は、前記グラフ領域に表示されたグラフに対するタッチ操作に基づいて、前記記憶部に記憶されている分析時間と分析条件の値との関係を再設定してもよい。
【００１５】
このような構成によれば、グラフ領域に表示されたグラフに対してタッチ操作を行うのみで、分析時間と分析条件の値との関係を再設定できる。
【００１６】
（４）また、前記表示処理部は、前記表示画面における前記グラフ領域に対するタッチ操作に基づいて、当該グラフ領域に表示されているグラフを拡大表示させてもよい。前記設定処理部は、前記グラフ領域に拡大表示されたグラフに対するタッチ操作に基づいて、前記記憶部に記憶されている分析時間と分析条件の値との関係を再設定してもよい。
【００１７】
このような構成によれば、グラフ領域内に表示されるグラフにおける注目すべき部分を拡大表示させ、その拡大表示されたグラフ領域に対してタッチ操作を行うことで、分析時間と分析条件の値との関係を再設定できる。
そのため、グラフ領域内に対してタッチ操作を行うのみで、分析時間と分析条件の値との関係の再設定を詳細に行うことができる。
【００１８】
（５）また、前記表示処理部は、前記グラフ領域に表示されたグラフに対するタッチ操作によりグラフ上の点又は線が指定された場合に、その点又は線に対応する値を入力するための数値入力領域を前記表示画面に表示させてもよい。前記設定処理部は、前記数値入力領域に対する入力操作に基づいて、前記記憶部に記憶されている分析時間と分析条件の値との関係を再設定してもよい。
【００１９】
このような構成によれば、グラフ領域内に表示されるグラフにおける注目すべき点又は線を指定し、表示される数値入力領域に対して入力操作を行うことで、分析時間と分析条件の値との関係を再設定できる。
そのため、グラフ領域内に対する操作がタッチ操作であっても、分析時間と分析条件の値との関係の再設定を精度よく行うことができる。
【００２０】
（６）また、前記設定処理部は、前記グラフ領域に表示されたグラフに対するタッチ操作によりグラフ上の点又は線が指定され、その点又は線が前記グラフ領域内でシフトされた場合に、シフトされた後の点又は線に対応する分析時間及び分析条件の値を前記記憶部に記憶させて再設定を行ってもよい。
【００２１】
このような構成によれば、グラフ領域に表示されたグラフに対してシフト操作を行うのみで、分析時間と分析条件の値との関係の再設定を行うことができる。
【００２２】
（７）また、前記分析装置は、モード選択受付部をさらに備えてもよい。前記モード選択受付部は、分析時間を保持する分析時間保持モードを実行するか否かの選択を受け付ける。前記設定処理部は、シフトされた後の点又は線に対応する分析時間及び分析条件の値を前記記憶部に記憶させて再設定を行う場合に、前記分析時間保持モードが選択されていれば、シフトされた点又は線に対応する分析時間及び分析条件の値以外の値を再設定せずに分析時間を一定に保持し、前記分析時間保持モードが選択されていなければ、シフトされた点又は線に対応する分析時間及び分析条件の値以外の値を再設定して分析時間を変化させてもよい。
【００２３】
このような構成によれば、分析時間保持モードが選択される場合には、シフトされた点又は線に対応する分析時間及び分析条件の値のみを再設定することにより、分析時間が一定に保持される。
【００２４】
そのため、分析時間及び分析条件の値を再設定する場合であっても、分析時間保持モードを選択することにより、分析時間を一定に保持でき、分析の終了時間が変動することを抑制できる。
【００２５】
また、分析時間保持モードが選択されていない場合には、シフトされた点又は線に対応する分析時間及び分析条件の値以外の値を再設定することにより、分析時間が変化される。
この場合、分析の終了時間は変動することとなるが、再設定により分析に悪影響を与えることを抑制できる。
【発明の効果】
【００２６】
本発明によれば、表示画面におけるグラフ領域に対してタッチ操作を行うことにより、分析時間と分析条件の値との関係を設定でき、また、そのグラフ領域に表示されたグラフを確認することにより、分析時間と分析条件の値との関係を確認できる。そのため、分析時間と分析条件の値との関係の設定作業、及び、分析時間と分析条件の値との関係の確認作業を併せて行うことができ、分析条件を設定するための一連の作業を容易に行うことができる。
【図面の簡単な説明】
【００２７】
【図１】本発明の一実施形態に係るガスクロマトグラフの構成例を示した概略図である。
【図２】図１のガスクロマトグラフの制御部、及び、その周辺の部材の具体的構成を示したブロック図である。
【図３Ａ】設定状態の表示画面の表示態様の一例であって、設定値の入力を開始した直後の状態を示した概略図である。
【図３Ｂ】設定状態の表示画面の表示態様の一例であって、設定値の入力を終了した状態を示した概略図である。
【図３Ｃ】設定状態の表示画面の表示態様の一例であって、入力した設定値が規定値に変換される状態を示した概略図である。
【図４Ａ】再設定状態の表示画面の表示態様の一例であって、設定値がグラフ表示された状態を示した概略図である。
【図４Ｂ】再設定状態の表示画面の表示態様の一例であって、グラフ表示された設定値の一部が拡大表示された状態を示した概略図である。
【図４Ｃ】再設定状態の表示画面の表示態様の一例であって、分析時間保持モードにおいて、拡大表示されたグラフ上の点がシフトされることにより設定値が再設定される状態を示した概略図である。
【図４Ｄ】再設定状態の表示画面の表示態様の一例であって、分析時間保持モードにおいて、拡大表示されたグラフ上の線がシフトされることにより設定値が再設定される状態を示した概略図である。
【図４Ｅ】再設定状態の表示画面の表示態様の一例であって、分析時間保持モードにおいて、拡大表示されたグラフ上の点が指定されて数値入力領域が表示された状態を示した概略図である。
【図４Ｆ】再設定状態の表示画面の表示態様の一例であって、通常モードにおいて、拡大表示されたグラフ上の点がシフトされることにより設定値が再設定される状態を示した概略図である。
【図５】制御部による処理の一例を示したフローチャートである。
【発明を実施するための形態】
【００２８】
１．ガスクロマトグラフの全体構成
図１は、本発明の一実施形態に係るガスクロマトグラフの構成例を示した概略図である。このガスクロマトグラフは、キャリアガスとともに試料ガスをカラム１内に供給することにより分析を行うためのものであり、上記カラム１以外に、カラムオーブン２、試料導入部３、検出器４、及び、これらを収容する中空状の本体１０などを備えている。
【００２９】
カラム１は、例えば、キャピラリカラムからなる。カラム１は、カラムオーブン２内に収容されている。
カラムオーブン２は、カラム１を加熱するためのものであり、分析時には後述するヒータ７及びファン８を適宜駆動させる。
【００３０】
試料導入部３は、カラム１内にキャリアガス及び試料ガスを導入するためのものであり、その内部に試料気化室（図示せず）が形成されている。この試料気化室には、液体試料が注入され、試料気化室内で気化された試料が、キャリアガスとともにカラム１内に導入される。また、試料気化室には、ガス供給流路５及びスプリット流路６が連通している。
【００３１】
ガス供給流路５は、試料導入部３の試料気化室内にキャリアガスを供給するための流路である。ガス供給流路５には、後述するＡＦＣ（Advanced Flow Controller）９が設けられており、このＡＦＣ９によって、キャリアガスの流量及び圧力が調整されている。
【００３２】
スプリット流路６は、スプリット導入法によりカラム１内にキャリアガス及び試料ガスを導入する際に、試料気化室内のガス（キャリアガス及び試料ガスの混合ガス）の一部を所定のスプリット比で外部に排出するための流路である。
【００３３】
検出器４は、例えば、水素炎イオン化検出器（ＦＩＤ）や、炎光光度検出器（ＦＰＤ）により構成される。検出器４は、カラム１から導入されるキャリアガスに含まれる各試料成分を順次検出する。
【００３４】
このガスクロマトグラフにおいて試料を測定する際は、分析対象となる試料が試料導入部３に注入される。試料は、試料気化室において気化される。また、試料導入部３の試料気化室には、ガス供給流路５を介してキャリアガスが供給される。
【００３５】
試料気化室内で気化された試料は、キャリアガスとともにカラム１内に導入される。試料に含まれる各試料成分は、カラム１内を通過する過程で分離されて、検出器４に順次導入される。
【００３６】
そして、検出器４において、カラム１から導入されるキャリアガスに含まれる各試料成分が順次検出される。また、検出器４における検出結果に基づいて、クロマトグラムが生成される。そして、作業者は、得られたクロマトグラムに基づいて、分析を行う。
【００３７】
また、このガスクロマトグラフでは、分析中における各部品の動作条件が予め設定されている。具体的には、ガス供給流路５から供給されるキャリアガスの流量及び圧力、並びに、カラムオーブン２内の温度のそれぞれは、対応する分析時間とともに予め設定されている。そして、分析中は、その設定内容に基づいて、各部品が動作される。
【００３８】
２．制御部及び周辺の部材の具体的構成
図２は、図１のガスクロマトグラフの制御部１３、及び、その周辺の部材の具体的構成を示したブロック図である。
ガスクロマトグラフは、上記した検出器４に加えて、ヒータ７と、ファン８と、ＡＦＣ９と、表示器１１と、記憶部１２と、制御部１３とを備えている。
ヒータ７は、カラムオーブン２（図１参照）内に配置されている。ヒータ７は、駆動されることにより、カラムオーブン２内を加熱する。
【００３９】
ファン８は、カラムオーブン２内に配置されている。ファン８は、駆動されることにより、カラムオーブン２内において回転する。カラムオーブン２内では、ヒータ７によってカラムオーブン２内が加熱され、ファン８によってカラムオーブン２内の空気が撹拌されることにより、カラムオーブン２内の温度が均一に保たれる。
【００４０】
ＡＦＣ９は、ガス供給流路５（図１参照）に設けられている。ＡＦＣ９は、図示しないバルブ、流量センサ及び圧力センサなどを備えている。そして、ＡＦＣ９は、流量センサが検出するキャリアガスの流量、及び、圧力センサが検出するキャリアガスの圧力のそれぞれが所定の値を保つように、バルブなどを動作させる。
【００４１】
表示器１１は、本体１０（図１参照）に設けられている。詳しくは後述するが、表示器１１は、タッチパネルを含んでいる。すなわち、ガスクロマトグラフでは、表示器１１において情報の入力作業及び確認作業が可能である。
【００４２】
記憶部１２は、例えば、ＲＯＭ（Read Only Memory）及びＲＡＭ（Random Access Memory）などにより構成されている。記憶部１２は、複数の検出データ１２１及び設定データ１２２を記憶している。
検出データ１２１は、後述するデータ処理部１３１によって生成されるクロマトグラムのデータである。
設定データ１２２は、後述する設定処理部１３４によって設定されるガスクロマトグラフにおける各部品の動作条件のデータである。
【００４３】
制御部１３は、例えば、ＣＰＵ（Central Processing Unit）を含む構成である。制御部１３は、検出器４、ヒータ７、ファン８、ＡＦＣ９及び表示器１１との間で、電気信号の入力又は出力が可能である。制御部１３は、必要に応じて記憶部１２に対するデータの入出力を行う。制御部１３は、ＣＰＵがプログラムを実行することにより、データ処理部１３１、表示処理部１３２、モード選択受付部１３３、設定処理部１３４及び動作制御部１３５などとして機能する。
データ処理部１３１は、検出器４からの検出信号に基づいて、クロマトグラムを得る。
データ処理部１３１で生成されたクロマトグラムのデータは、検出データ１２１として記憶部１２に格納される。
【００４４】
表示処理部１３２は、記憶部１２の検出データ１２１に基づいて、表示器１１にクロマトグラムをグラフとして表示させる処理を行う。また、表示処理部１３２は、記憶部１２の設定データ１２２に基づいて、表示器１１に設定内容（各部品の動作条件）をグラフとして表示させる処理を行う。また、表示処理部１３２は、タッチパネルの操作による表示器１１からの入力信号に基づいて、表示器１１に表示するクロマトグラムのグラフ、及び、表示器１１に表示する設定内容（各部品の動作条件）のグラフに関する表示を変更する処理を行う。
【００４５】
モード選択受付部１３３は、タッチパネルの操作による表示器１１からの入力信号に基づいて、各部品の動作条件を設定する際のモードの選択を受け付ける。具体的には、表示器１１では、分析時間を一定に保つモードである分析時間保持モードを選択するか否かの操作が可能である。そして、モード選択受付部１３３は、タッチパネルの操作による表示器１１からの入力信号に基づいて、分析時間保持モードを選択するか否かを受け付ける。
設定処理部１３４は、タッチパネルの操作による表示器１１からの入力信号に基づいて、各部品の動作条件に関する設定を行う。
【００４６】
動作制御部１３５は、記憶部１２の設定データ１２２に基づいて、ガスクロマトグラフにおける各部品を動作させる。具体的には、動作制御部１３５は、記憶部１２の設定データ１２２に基づいて、ヒータ７、ファン８及びＡＦＣ９の動作を制御する。
【００４７】
３．表示画面の画面構成
図３Ａは、設定状態の表示画面１１１の表示態様の一例であって、設定値の入力を開始した直後の状態を示した概略図である。図４Ａは、再設定状態の表示画面の表示態様の一例であって、設定値がグラフ表示された状態を示した概略図である。
【００４８】
上記した表示器１１（図２参照）には、タッチパネル式であって略矩形状に形成される表示画面１１１が含まれている。表示器１１は、本体１０（図１参照）に備えられており、作業者は、本体１０上で表示画面１１１を確認できる。具体的には、表示器１１は、作業者が操作しやすいように、本体１０の前面に設けられている。また、本体１０の前面には、通常、開閉可能な扉などが設けられている。すなわち、表示器１１は、本体１０の前面において、扉などが配置されるスペースを確保するように、比較的小さなスペースに配置されている。
【００４９】
図示しないが、分析中は、表示画面１１１には、ガスクロマトグラフにおける各種部品の動作状態や、リアルタイムで生成されるクロマトグラムを表すグラフが表示される。そして、表示画面１１１では、ガスクロマトグラフにおける各部品の動作条件を予め設定するための入力作業が可能であり、さらに、その設定された動作条件を再設定するための入力作業が可能である。
【００５０】
ガスクロマトグラフにおける各部品の動作条件の設定においては、表示画面１１１は、図３Ａに示すように、設定状態として表示される。設定状態の表示画面１１１には、グラフ領域１１２が含まれる。
【００５１】
グラフ領域１１２は、例えば、表示画面１１１内における下方側に配置されている。グラフ領域１１２は、ガスクロマトグラフにおける各部品の動作条件をグラフとして入力するための領域である。具体的には、グラフ領域１１２では、ガス供給流路５のキャリアガスの流量の値、及び、その値に対応する分析時間の入力が可能である。この場合、グラフ領域１１２は、横軸を時間、縦軸を流量とする２軸表示により表示される。同様に、グラフ領域１１２では、ガス供給流路５のキャリアガスの圧力の値、及び、その値に対応する分析時間の入力が可能である。この場合、グラフ領域１１２は、横軸を時間、縦軸を圧力とする２軸表示により表示される。同様に、グラフ領域１１２では、カラムオーブン２内の温度の値、及び、その値に対応する分析時間の入力が可能である。この場合、グラフ領域１１２は、横軸を時間、縦軸を温度とする２軸表示により表示される。
【００５２】
また、ガスクロマトグラフにおける各部品の動作条件の再設定においては、表示画面１１１は、図４Ａに示すように、再設定状態として表示される。再設定状態の表示画面１１１には、上記したグラフ領域１１２と、クロマトグラム領域１１３が含まれる。
再設定状態の表示画面１１１において、グラフ領域１１２には、記憶部１２に格納されている設定データ１２２に基づく動作条件がグラフとして表示される。
【００５３】
クロマトグラム領域１１３は、例えば、表示画面１１１内における上方側に配置されている。クロマトグラム領域１１３は、生成されたクロマトグラムを表示するめの領域である。具体的には、クロマトグラム領域１１３には、記憶部１２に格納されている検出データ１２１に基づいて、クロマトグラムがグラフ表示される。なお、クロマトグラム領域１１３は、横軸を時間、縦軸を信号強度とする２軸表示により表示される。また、再設定状態の表示画面１１１では、グラフ領域１１２における時間軸の時点と、クロマトグラム領域１１３における時間軸の時点とは互いに対応している。
【００５４】
４．制御部による制御動作
図５は、制御部１３による処理の一例を示したフローチャートである。
ガスクロマトグラフでは、以下のようにして、各部品の動作条件（キャリアガスの流量、キャリアガスの圧力、及び、カラムオーブン２内の温度）の設定及び再設定が行われる。なお、この設定及び再設定の際の表示画面１１１の表示態様については、後述する。
【００５５】
まず、作業者は、ガスクロマトグラフにおける分析動作に先立って、表示器１１の表示画面１１１において所定のタッチ操作を行って、図３Ａに示すように、設定状態の表示画面１１１を表示させる。
【００５６】
なお、表示画面１１１では、キャリアガスの流量、キャリアガスの圧力、及び、カラムオーブン２内の温度に関する設定及び再設定が可能であるが、以下の説明では、カラムオーブン２内の温度に関する設定及び再設定を行う場合を例に挙げる。
【００５７】
作業者は、横軸を時間、縦軸を温度として、グラフ領域１１２に対して任意の１箇所をタッチし、そのタッチ部分を滑らせるようにスライド操作（スワイプ）することにより、カラムオーブン２内の温度の値、及び、その値に対応する分析時間を設定する。
【００５８】
表示処理部１３２は、設定状態の表示画面１１１において、グラフ領域１１２に対するスライド操作が行われると（ステップＳ１０１でＹＥＳ）、グラフ領域１１２におけるタッチ部分を線で描画することにより、グラフ領域１１２にグラフを表示する。そして、設定処理部１３４は、グラフ領域１１２に表示されるグラフのデータを、後述するように適宜修正した後、設定データ１２２として記憶部１２に格納する（ステップＳ１０２）。
【００５９】
そして、ガスクロマトグラフにおいて上記した分析動作が行われる間は、動作制御部１３５は、カラムオーブン２内の温度、及び、分析時間の関係が、記憶部１２の設定データ１２２に対応するように、ヒータ７及びファン８の動作を調整する。
【００６０】
また、作業者は、設定データ１２２における値を再設定する場合には、表示器１１の表示画面１１１において所定のタッチ操作を行って、図４Ａに示すように、再設定状態の表示画面１１１を表示させる。このとき、作業者は、表示画面１１１におけるタッチ操作によって、分析時間保持モード又は通常モードを選択するとともに、記憶部１２に記憶されているカラムオーブン２内の温度に関する設定データ１２２を選択する。
【００６１】
分析時間保持モードとは、各部品の動作条件を再設定する場合において、ガスクロマトグラフにおける分析時間を一定に保つモード（分析の終了時間が再設定により変動しないモード）である。また、作業者によって、分析時間保持モードが選択されない場合には、通常モードでの再設定となる。通常モードで動作条件が再設定される場合には、再設定の内容に応じて分析時間が変更される（分析の終了時間が再設定により変動する）。
【００６２】
表示処理部１３２は、再設定状態の表示画面１１１に対する所定のタッチ操作が行われると（ステップＳ１０３でＹＥＳ）、グラフ領域１１２に、記憶部１２の設定データ１２２（再設定すべき設定データ１２２）に対応するグラフを表示させる。
【００６３】
そして、詳しくは後述するが、表示処理部１３２は、分析時間保持モードが選択されている場合には（ステップＳ１０４でＹＥＳ）、分析時間を一定に保つように、表示画面１１１上でタッチ操作されたグラフ上の値のみを再設定する（ステップＳ１０５）。
【００６４】
一方、表示処理部１３２は、分析時間保持モードが選択されていない場合（通常モードが選択されている場合）には（ステップＳ１０４でＮＯ）、表示画面１１１上でタッチ操作されたグラフ上の値、及び、当該値以降の値を再設定する（ステップＳ１０６）。
そして、再設定された値を含むデータが、再設定前のデータを書き換えるようにして、設定データ１２２として記憶部１２に格納される。
【００６５】
５．表示画面の表示態様
（１）設定状態における表示画面の表示態様
以下では、上記した制御動作の際の表示画面１１１の表示態様について、具体的に説明する。以下の説明では、カラムオーブン２内の温度に関する設定及び再設定が行われる場合を例に挙げる。
【００６６】
図３Ｂは、設定状態の表示画面１１１の表示態様の一例であって、設定値の入力を終了した状態を示した概略図である。図３Ｃは、設定状態の表示画面１１１の表示態様の一例であって、入力した設定値が規定値に変換される状態を示した概略図である。
【００６７】
表示画面１１１において動作条件を設定する際は、作業者は、図３Ａに示すように、設定状態の表示画面１１１において、グラフ領域１１２にタッチする領域Ａを、グラフ領域１１２における左端から右方に向けてスライド操作する。このとき、作業者は、タッチ部分を右側にスライドさせるとともに、タッチ部分を上下にスライドさせることで、縦軸がカラムオーブン２内の温度の値を表し、横軸が分析時間を表すグラフをグラフ領域１１２に描画する。そして、図３Ｂに示すように、作業者は、グラフ領域１１２における右端まで領域Ａをスライド操作して、カラムオーブン２内の温度、及び、分析時間の関係についての入力を終了する。
表示処理部１３２は、グラフ領域１１２におけるタッチ部分（領域Ａの軌跡）を線で描画する。
【００６８】
これにより、グラフ領域１１２には、領域Ａの軌跡を表すグラフＢがリアルタイムで表示される。グラフＢでは、分析時間が経過するにつれて、温度が段階的に高くなっている。
【００６９】
また、設定処理部１３４は、グラフ領域１１２において入力された値が、予め定める規定値からずれている場合には、その入力された値を規定値に変換した後、記憶部１２に設定データ１２２として格納する。
【００７０】
例えば、設定処理部１３４は、図３Ｃに示すように、グラフ領域１１２に入力されたグラフにおいて、線の端（点）の部分が表す値に小数点以下の値がある場合には、その値を切り捨てる。そして、その変換後のデータを設定データ１２２として記憶部１２に格納する。すなわち、この例では、規定値とは、グラフ領域１１２における入力値から小数点以下を切り捨てた値である。
【００７１】
図３Ｃでは、グラフＢのデータが変換された結果、グラフＣが生成されている。具体的には、グラフＢにおける点Ｄが点Ｅに変換され、グラフＢにおける点Ｆが点Ｇに変換され、グラフＢにおける点Ｈが点Ｉに変換され、グラフＢにおける点Ｊが点Ｋに変換された結果、グラフＣが生成されている。そして、グラフＣのデータが設定データ１２２として記憶部１２に格納される。
【００７２】
また、上記と同様にして、キャリアガスの流量を設定する場合には、キャリアガスの流量の値、及び、その値に対応する分析時間の関係を表すグラフがグラフ領域１１２に表示されて、そのデータが設定データ１２２として記憶部１２に格納される。また、キャリアガスの圧力を設定する場合には、キャリアガスの圧力の値、及び、その値に対応する分析時間の関係を表すグラフがグラフ領域１１２に表示されて、そのデータが設定データ１２２として記憶部１２に格納される。
【００７３】
（２）再設定状態における表示画面の表示態様
（２−１）分析時間保持モード
図４Ｂは、再設定状態の表示画面１１１の表示態様の一例であって、グラフ表示された設定値の一部が拡大表示された状態を示した概略図である。図４Ｃは、再設定状態の表示画面１１１の表示態様の一例であって、分析時間保持モードにおいて、拡大表示されたグラフ上の点がシフトされることにより設定値が再設定される状態を示した概略図である。図４Ｄは、再設定状態の表示画面１１１の表示態様の一例であって、分析時間保持モードにおいて、拡大表示されたグラフ上の線がシフトされることにより設定値が再設定される状態を示した概略図である。図４Ｅは、再設定状態の表示画面１１１の表示態様の一例であって、分析時間保持モードにおいて、拡大表示されたグラフ上の点が指定されて数値入力領域が表示された状態を示した概略図である。
【００７４】
上記のようにして設定した動作条件を再設定する際は、作業者は、表示画面１１１に対して所定のタッチ操作を行って、図４Ａに示すように、表示画面１１１を再設定状態にする。図４Ａでは、グラフ領域１１２に、カラムオーブン２内の温度の値、及び、その値に対応する分析時間の関係を表すグラフＣが表示されている。また、クロマトグラム領域１１３には、グラフＣで表す動作条件で分析動作を行った際に得られたクロマトグラムＬが表示されている。グラフＣにおける時間軸の時点と、クロマトグラムＬにおける時間軸の時点とは対応している。
【００７５】
表示処理部１３２は、作業者によって、グラフ領域１１２において、任意の２箇所をタッチした状態から、そのタッチ部分を拡げるようにしてスライド操作（ピンチアウト）されると、グラフ領域１１２に表示されるグラフを拡大表示させる。さらに、表示処理部１３２は、グラフ領域１１２におけるグラフの拡大表示に対応させて、クロマトグラム領域１１３において、クロマトグラムＬを拡大表示させる。
図４Ｂは、図４Ａの領域Ｍを中心としてピンチアウト操作が行われた結果、グラフＣを拡大したグラフＮがグラフ領域１１２に表示される状態を示している。
【００７６】
また、図示しないが、表示処理部１３２は、この状態から、作業者によって、グラフ領域１１２における任意の２箇所をタッチした状態から、そのタッチ部分を狭めるようにしてスライド操作（ピンチイン）が行われると、グラフ領域１１２においてグラフＮを縮小したグラフを表示する。
このようにして、グラフ領域１１２内には、動作条件の再設定を行うのに適した倍率のグラフが表示される。
【００７７】
そして、作業者によって、グラフ領域１１２に表示されたグラフに対して、所定のタッチ操作が行われると、設定処理部１３４は、そのグラフの値を変更した新たなグラフのデータを、動作条件として再設定する。なお、ここでは、作業者によって、上記した分析時間保持モードが選択されているとして説明する。
【００７８】
例えば、図４Ｂに示すように、作業者がタッチする領域Ｏによって、グラフＮにおける点Ｒが指定され、図４Ｃに示すように、その領域Ｏがスライドされた場合には、設定処理部１３４は、スライド後の領域Ｏの中心を点Ｓとし、グラフＮにおける点Ｒを点Ｓに修正したグラフＱを生成する。そして、設定処理部１３４は、そのグラフＱのデータを記憶部１２に設定データ１２２として記憶する。
【００７９】
また、図４Ｂに示すように、作業者がタッチする領域Ｐによって、グラフＮにおける線Ｔが指定され、図４Ｄに示すように、その領域Ｐがスライドされた場合には、設定処理部１３４は、スライド後の領域Ｐの中心を通り、指定された線Ｔと同じ傾き及び長さの線Ｕを生成し、グラフＮにおける線Ｔを線Ｕに修正したグラフＶを生成する。そして、設定処理部１３４は、そのグラフＶのデータを記憶部１２に設定データ１２２として記憶する。
【００８０】
このように、設定処理部１３４は、表示画面１１１に表示されたグラフに対するタッチ操作によりグラフ上の点又は線が指定され、その点又は線がグラフ領域１１２内でシフトされた場合に、シフトされた後の点又は線に対応するグラフのデータを、設定データ１２２として記憶部１２に記憶する。
【００８１】
なお、点を指定するとは、グラフ中の線の端をタッチ操作により指定することであり、線を指定するとは、グラフ中の線の端以外の部分をタッチ操作により指定することである。
【００８２】
また、例えば、作業者によって、図４Ｂに示すグラフ領域１１２に対して２回連続でタッチ（ダブルタップ）された場合には、表示処理部１３２は、図４Ｅに示すように、グラフ領域１１２に、第１数値入力領域１４１及び第２数値入力領域１４２を表示させる。なお、図４Ｅは、図４Ｂに示す領域Ｗがダブルタップされることにより点Ｘが指定された場合を示している。
【００８３】
第１数値入力領域１４１には、領域Ｗ内に位置する点Ｘの温度の値が数値で表示されている。第２数値入力領域１４２には、領域Ｗ内に位置する点Ｘの時間の値が数値で表示されている。ただし、ダブルタップにより線が指定された場合には、その線の傾き及び長さが第１数値入力領域１４１及び第２数値入力領域１４２に数値で表示される。
【００８４】
さらに、作業者によって、第１数値入力領域１４１又は第２数値入力領域１４２に対してタッチ（タップ）された場合には、表示処理部１３２は、図示しないソフトキーをグラフ領域１１２に表示させる。そして、設定処理部１３４は、作業者によるソフトキー上の操作に応じて、第１数値入力領域１４１内の数値、又は、第２数値入力領域１４２内の数値を変更し、グラフＮにおける点Ｘを、その変更後の値に応じた点に修正したグラフを生成し（図示せず）、そのグラフのデータを記憶部１２に設定データ１２２として記憶する。
【００８５】
このように、表示処理部１３２は、グラフ領域１１２に表示されたグラフに対するタッチ操作によりグラフ上の点又は線が指定された場合に、その点又は線に対応する値を入力するための数値入力領域をグラフ領域１１２に表示させる。そして、設定処理部１３４は、その数値入力領域に対する入力操作に基づくグラフのデータを、設定データ１２２として記憶部１２に記憶する。
【００８６】
（２−２）通常モード
図４Ｆは、再設定状態の表示画面１１１の表示態様の一例であって、通常モードにおいて、拡大表示されたグラフ上の点がシフトされることにより設定値が再設定される状態を示した概略図である。
【００８７】
分析時間保持モードが選択されている場合には、上記したように、分析時間を一定に保つように、表示画面１１１上でタッチ操作されたグラフ上の値のみが再設定される。一方、分析時間保持モードが選択されていない場合（通常モードが選択されている場合）には、以下のように、表示画面１１１上でタッチ操作されたグラフ上の値、及び、当該値以降の値が再設定される。
【００８８】
例えば、図４Ｂに示すように、作業者がタッチする領域Ｏによって、グラフＮにおける点Ｒが指定され、図４Ｆに示すように、その領域Ｏがスライドされた場合には、設定処理部１３４は、スライド後の領域Ｏの中心を点ＡＡとし、グラフＮにおける点Ｒを点ＡＡに修正するとともに、グラフＮにおける点Ｒ以降の値を修正したグラフＺを生成する。そして、設定処理部１３４は、そのグラフＺのデータを記憶部１２に設定データ１２２として記憶する。
【００８９】
具体的には、設定処理部１３４は、グラフＮにおける点Ｒを点ＡＡに修正するとともに、グラフＮにおける点Ｒ以降の値を、点Ｒから点ＡＡまでの移動量と同じ移動量だけ変化させるようにして、グラフＺを生成する。すなわち、設定処理部１３４は、グラフＮにおける点Ｒを点ＡＡに修正するとともに、グラフＮにおける点ＡＢを点ＡＣに修正し、グラフＮにおける点ＡＤを点ＡＥに修正して、グラフＺを生成する。このとき、点Ｒから点ＡＡまでの長さ、点ＡＢから点ＡＣまでの長さ、及び、点ＡＤから点ＡＥまでの長さは同じである。
【００９０】
このように、通常モードでは、指定された値以降の値を再設定するため、分析の終了時間は変動することとなるが、各条件（各温度）に対応する時間の長さは、再設定の前後で変わらない。例えば、図４Ｆにおいて、再設定前のグラフＮにおける点Ｒから点ＡＢまでの時間と、再設定後のグラフＺにおける点ＡＡから点ＡＣまでの時間は同じである。そのため、通常モードにすることにより、再設定により分析に悪影響を与えることを抑制できる。
【００９１】
６．作用効果
（１）本実施形態では、表示器１１は、タッチパネル式の表示画面１１１を有する。表示処理部１３２は、横軸を分析時間、縦軸を分析条件の値とするグラフ領域１１２を表示画面１１１に表示させる。設定処理部１３４は、表示画面１１１におけるグラフ領域１１２に対するタッチ操作に基づいて、分析時間と分析条件の値との関係を設定する。記憶部１２は、設定処理部１３４により設定された分析時間と分析条件の値との関係を記憶する。表示処理部１３２は、図３Ｃに示すように、記憶部１２に記憶されている分析時間と分析条件の値との関係をグラフ領域１１２にグラフで表示させる。
【００９２】
そのため、作業者は、表示画面１１１におけるグラフ領域１１２に対してタッチ操作を行うことにより、分析時間と分析条件の値との関係を設定でき、また、そのグラフ領域１１２に表示されたグラフを確認することにより、分析時間と分析条件の値との関係を確認できる。
その結果、分析時間と分析条件の値との関係の設定作業、及び、分析時間と分析条件の値との関係の確認作業を併せて行うことができる。
【００９３】
よって、表における設定作業とグラフにおける確認作業とを繰り返すような煩雑な作業の発生を抑制して、分析条件を設定するための一連の作業を容易に行うことができる。
【００９４】
（２）また、本実施形態では、設定処理部１３４は、図３Ｃに示すように、グラフ領域１１２に対するタッチ操作により分析時間及び分析条件の値が入力された場合に、それらの値の少なくとも一方を近似する規定値に変換して設定する。
【００９５】
そのため、タッチ操作によって分析時間と分析条件の値とが入力された場合であって、それらの値が規定値からずれている場合には、設定処理部１３４によって、その値を規定値に修正して設定できる。
その結果、入力された値を修正する作業を省くことができる。
【００９６】
（３）また、本実施形態では、設定処理部１３４は、図４Ｃ〜図４Ｆに示すように、グラフ領域１１２に表示されたグラフに対するタッチ操作に基づいて、記憶部１２に記憶されている分析時間と分析条件の値との関係を再設定する。
そのため、グラフ領域１１２に表示されたグラフに対してタッチ操作を行うのみで、分析時間と分析条件の値との関係を再設定できる。
【００９７】
（４）また、本実施形態では、表示処理部１３２は、図４Ｂに示すように、表示画面１１１におけるグラフ領域１１２に対するタッチ操作に基づいて、グラフ領域１１２に表示されているグラフを拡大表示させる。設定処理部１３４は、グラフ領域１１２に拡大表示されたグラフに対するタッチ操作に基づいて、記憶部１２に記憶されている分析時間と分析条件の値との関係を再設定する。
【００９８】
そのため、グラフ領域１１２内に表示されるグラフにおける注目すべき部分を拡大表示させ、その拡大表示されたグラフ領域１１２に対してタッチ操作を行うことで、分析時間と分析条件の値との関係を再設定できる。
その結果、グラフ領域１１２内に対してタッチ操作を行うのみで、分析時間と分析条件の値との関係の再設定を詳細に行うことができる。
【００９９】
（５）また、本実施形態では、表示処理部１３２は、図４Ｅに示すように、グラフ領域１１２に表示されたグラフに対するタッチ操作によりグラフ上の点又は線が指定された場合に、その点又は線に対応する値を入力するための第１数値入力領域１４１及び第２数値入力領域１４２をグラフ領域１１２に表示させる。設定処理部１３４は、第１数値入力領域１４１及び第２数値入力領域１４２に対する入力操作に基づいて、記憶部１２に記憶されている分析時間と分析条件の値との関係を再設定する。
【０１００】
そのため、グラフ領域１１２内に表示されるグラフにおける注目すべき点又は線を指定し、表示される第１数値入力領域１４１及び第２数値入力領域１４２に対して入力操作を行うことで、分析時間と分析条件の値との関係を再設定できる。
その結果、グラフ領域１１２内に対する操作がタッチ操作であっても、分析時間と分析条件の値との関係の再設定を精度よく行うことができる。
【０１０１】
（６）また、本実施形態では、設定処理部１３４は、図４Ｃ及び図４Ｄに示すように、グラフ領域１１２に表示されたグラフに対するタッチ操作によりグラフ上の点又は線が指定され、その点又は線がグラフ領域１１２内でシフトされた場合に、シフトされた後の点又は線に対応する分析時間及び分析条件の値を記憶部１２に記憶させて再設定を行う。
そのため、グラフ領域１１２に表示されたグラフに対してシフト操作を行うのみで、分析時間と分析条件の値との関係の再設定を行うことができる。
【０１０２】
（７）また、本実施形態では、モード選択受付部１３３は、分析時間を保持する分析時間保持モードを実行するか否かの選択を受け付ける。設定処理部１３４は、シフトされた後の点又は線に対応する分析時間及び分析条件の値を記憶部１２に記憶させて再設定を行う場合に、分析時間保持モードが選択されていれば、図４Ｃに示すように、シフトされた点又は線に対応する分析時間及び分析条件の値以外の値を再設定せずに分析時間を一定に保持する。そして、設定処理部１３４は、シフトされた後の点又は線に対応する分析時間及び分析条件の値を記憶部１２に記憶させて再設定を行う場合に、分析時間保持モードが選択されていなければ、図４Ｆに示すように、シフトされた点又は線に対応する分析時間及び分析条件の値以降の値を再設定して分析時間を変化させる。
【０１０３】
すなわち、分析時間保持モードが選択される場合には、図４Ｃに示すように、シフトされた点又は線に対応する分析時間及び分析条件の値のみを再設定することにより、分析時間が一定に保持される。
【０１０４】
そのため、分析時間及び分析条件の値を再設定する場合であっても、分析時間保持モードを選択することにより、分析時間を一定に保持でき、分析の終了時間が変動することを抑制できる。
【０１０５】
また、分析時間保持モードが選択されていない場合には、図４Ｆに示すように、シフトされた点又は線に対応する分析時間及び分析条件の値以降の値を再設定することにより、分析時間が変化される。
この場合、分析の終了時間は変動することとなるが、再設定により分析に悪影響を与えることを抑制できる。
【０１０６】
７．変形例
以上の説明では、本発明の分析装置は、ガスクロマトグラフであるとして説明したが、本発明の分析装置は、液体クロマトグラフなどのガスクロマトグラフ以外の分析装置に適用可能である。この場合、タッチ操作により設定される分析条件は、ポンプの流量又は圧力、グラジエントの混合比など、他の分析条件であってもよい。
【０１０７】
また、以上の説明では、表示器１１は、本体１０に設けられるとして説明したが、表示器１１は、タッチパネル式の表示画面１１１を有する装置であればよく、スマートデバイスやパソコン用ディスプレイなど、本体１０とは別に構成される装置であってもよい。この場合、表示器１１と制御部１３とは、無線により通信可能であってもよい。
【０１０８】
また、以上の説明では、制御部１３は、表示器１１とは別に構成されるとして説明したが、制御部１３の一部が表示器１１に含まれてもよい。
【０１０９】
また、以上の説明では、グラフ領域１１２は、横軸を分析時間、縦軸を分析条件とする２軸表示により表示されるとして説明した。しかし、グラフ領域１１２は、互いに直交する２軸のうちの一方の軸を分析時間の値とし、他方の軸を分析条件の値として表示されればよい。例えば、グラフ領域１１２は、横軸を分析条件、縦軸を分析時間とする２軸表示により表示されてもよい。
【０１１０】
また、以上の説明では、図３Ｃに示すように、設定処理部１３４は、グラフ領域１１２に入力されたグラフにおいて、線の端（点）の部分が表す値に小数点以下の値がある場合には、その値を切り捨てるとして説明したが、設定処理部１３４による入力値を規定値に変換する処理は、これに限られない。例えば、設定処理部１３４は、入力値に対して四捨五入の処理をすることにより、入力値を規定値に変換してもよい。また、設定処理部１３４は、グラフ領域１１２において、２軸表示される値のうち、少なくとも一方の軸に関する値を規定値に変換すればよい。また、入力値を規定値に変換する処理は、グラフ領域１１２に対するタッチ操作によりグラフを描画した後に行われるのではなく、グラフの描画中にリアルタイムで行われてもよい。
【０１１１】
また、以上の説明では、グラフ領域１１２内のグラフにおける指定、設定及び再設定は、グラフ領域１１２に対する特定のタッチ操作に基づいて行われるとして説明したが、上記した特定のタッチ操作以外のタッチ操作に基づいて、指定、設定及び再設定が行われてもよい。
【符号の説明】
【０１１２】
１１    表示器
１２    記憶部
１３    制御部
１１１    表示画面
１１２    グラフ領域
１３２    表示処理部
１３３    モード選択受付部
１３４    設定処理部
１４１    第１数値入力領域
１４２    第２数値入力領域
【図１】
0006593223.tif 000002
【図２】
0006593223.tif 000003
【図３Ａ】
0006593223.tif 000004
【図３Ｂ】
0006593223.tif 000005
【図３Ｃ】
0006593223.tif 000006
【図４Ａ】
0006593223.tif 000007
【図４Ｂ】
0006593223.tif 000008
【図４Ｃ】
0006593223.tif 000009
【図４Ｄ】
0006593223.tif 000010
【図４Ｅ】
0006593223.tif 000011
【図４Ｆ】
0006593223.tif 000012
【図５】
0006593223.tif 000013